(57)【特許請求の範囲】
【請求項１】
定時法の時刻が得られる定時法時計と、
暦日における日の出日の入り時刻を記憶もしくは入手する日の出日の入時刻データ保持手段と、
暦日における現在もしくは所定の年月日を設定する年月日設定手段と、
前記年月日設定手段により得た当該年月日を基にして、日の出日の入時刻データ保持手段から、当該日付における日の出日の入時刻を換算もしくは計算して得るとともに、当該日付における日の出日の入の時刻を基に昼間と夜間をそれぞれを六つの刻に均等に分割して不定時法による時刻を計算し設定する制御装置と、
少なくとも定時法時計による定時法の時刻と、不定時法による時刻と、のどちらか一方もしくは両方を表示する時刻表示手段と、
を有するとともに、さらに、
経度情報または都道府県の情報を入力する経度補正手段１０と、前記の経度補正手段１０により選択された地域を表示する地域表示手段１１と、を備え、前記の経度補正手段１０は、経度に関する情報を得ると、前記日の出日の入時刻データ保持手段の日の出日の入り時刻を、予め記憶した経度別の表で校正するか、計算式により校正する構成であり、
前記時刻表示手段は、不定時法における当該日付における時刻を、卯・辰・巳・午・未・申・酉・戊・亥・子・丑・寅の１２支として表示する、不定時法時計。
【発明の詳細な説明】
【技術分野】
【０００１】  本発明は、定時法制定以前の江戸時代に使用されていた日の出日の入り時刻基準である不定時法の時刻を表示することができる時計に関する。
【背景技術】
【０００２】  現在時刻については定時法が適用され、正確な現在時刻が、平成１１年６月１０日より長波帯標準電波施設（福島局、周波数：４０ｋＨｚ）が運用開始され、正式な標準周波数局（ＪＪＹ）として運用され取得可能である。また、インターネットにおいても標準時刻が取得できる。一方、定時法制定以前の江戸時代には、日の出日の入り時刻を基準とした不定時法が使用されていた。不定時法は日の出・日の入り時刻を基準にして昼間と夜間をそれぞれを六つの刻に均等に分割して時刻を設定する方法である。卯・辰・巳・午・未・申・酉・戊・亥・子・丑・寅の１２支を各時刻に割当て表示するものであった。不定時法では、日の出・日の入り時刻を基準にしているため、自然や生活に密着した時刻感覚を得ることができるため、現在でもこのような不定時法の表示が望まれる場合がある（特許文献１参照）。【０００３】
【特許文献１】特開２００３−２７０３５９号公報
【発明の開示】
【発明が解決しようとする課題】
【０００４】  従来の不定時法の時刻を表示する時計は、１２支不定時刻目盛盤を使用し、年間の不定時刻の変化に対応して複数枚を用意して対応するものであり、目盛盤の取り替え使用が煩雑であり、またさらには日本全国の日の出日の入りのタイミングが異なる要素について対応していないものであった。【０００５】  本願発明は、時計を使用する場所の経度を補正情報とし、その使用地域において日の出日の入り時刻を標準時刻に対して補正し、地域に合った日の出・日の入り時刻基準の不定時法時計を構成して、自然や生活に密着した時刻感覚を得ることができる時計を提供する。
【課題を解決するための手段】
【０００６】  このような課題を解決するための本発明の不定時法時計は、定時法の時刻が得られる定時法時計と、暦日における日の出日の入り時刻を記憶もしくは入手する日の出日の入時刻データ保持手段と、暦日における現在もしくは所定の年月日を設定する年月日設定手段と、年月日設定手段により得た現在もしくは所定の当該年月日を基にして、日の出日の入時刻データ保持手段から、当該日付における日の出日の入時刻を換算もしくは計算して得るとともに、当該日付における日の出日の入の時刻を基に昼間と夜間をそれぞれを六つの刻に均等に分割して不定時法による時刻を計算し設定する制御装置と、少なくとも定時法時計による定時法の時刻と、不定時法による時刻と、のどちらか一方もしくは両方を表示する時刻表示手段と、を有するものである。【０００７】  また、不定時法における当該日付における時刻は、卯・辰・巳・午・未・申・酉・戊・亥・子・丑・寅の１２支とし、さらには定時法の時計は時刻データを電波もしくはインターネットを介して得るものとしてもよい。また、使用者が入力した経度情報を基に当該年月日の日の出日の入時刻を補正する経度補正手段をさらに備える構成としてもよい。
【発明の効果】
【０００８】  このような構成からなる不定時法時計によれば、その使用地域において日の出日の入り時刻を標準に時刻とした自然や生活に密着した時刻感覚を得ることができ、必要により定時法の時計表示も可能で時計の有効利用ができる。
【図面の簡単な説明】
【０００９】
【図１】  本発明の第１の実施の形態に係る不定法時計の正面図。
【図２】  同不定法時計の構成ブロックダイヤグラム図。
【発明を実施するための形態】
【００１０】  以下、添付図面に基づいて本発明の実施例に係る不定時法時計について説明する。図１に示すように、不定時法時計１は、その内部にデジタル式の定時法時計２を備えている。定時法時計２は定時法の現在の標準時刻データを電波もしくはインターネット３を介して得ることができる構成となっている。インターネット３や電波を介して得た標準時刻を基準に校正した現在時刻を表示する定時法時刻表示部４が不定時法時計１の前面に配置されている。不定時法時計１の上部には、暦日における現在もしくは所定の年月日を設定する年月日設定手段５（インクリメンタルボタン等により数字が設定できる構造）が設けられており、年月日表示部５Ｄにより表示される。不定時法時計１の内部には、暦日における日の出日の入り時刻が予めメモリー等で記憶された（もしくはインターネットで入手する）日の出日の入時刻データ保持手段６が設けられている。
【００１１】  不定時法時計１が内部に有する制御装置７は、年月日設定手段５により得た現在もしくは所定の当該年月日を基にして、日の出日の入時刻データ保持手段６から、当該日付における日の出日の入時刻を換算もしくは計算して得るマイクロコンピュータである。また、制御装置７は、設定された暦日（当該日付）における日の出日の入の時刻を基に昼間と夜間を２４時間から振り分け、それぞれ昼間と夜間とし、それらに昼間と夜間の時間をそれぞれ六つの刻に均等に分割して不定時法による設定日当日における時刻割（各刻の長さ）を設定／計算する。定時法時計２から得た定時法の現在の時刻を基に、制御装置７は定時法の現在の時刻に対応する不定時法における現在の刻を計算し、時刻（２時間単位）として割当てた卯・辰・巳・午・未・申・酉・戊・亥・子・丑・寅の１２支の一つを不定時法時刻表示手段とし、不定時法時計１の前面の１２支画面８に表示する。
【００１２】  定時法時刻表示部４及び１２支画面８を、共に液晶画面で構成して、少なくとも定時法の時刻と、不定時法による時刻とを切り替スイッチ９によって表示しても良いし、両方を同時に表示するような時刻表示手段としてもよい。
【００１３】  各暦日における日の出時刻は、日本全国の地域別都道府県別に公表されており等業者で容易に入手できるので、日の出日の入時刻データ保持手段６は、東京等の日の入り時刻を標準として備えていてもよいし、使用地域を特定して、其れ其れの地域（大阪、神戸、京都など）に対応した日の出日の入時刻を、日の出日の入時刻データ保持手段６により記憶させてベータベースとして保有しておけばよい。より正確な地域に対応した不定時法の時刻を得るため、経度情報や都道府県の情報を入力する経度補正手段１０（インクリメンタルスイッチによる選択等）を、本不定時法時計１は備えている。経度補正手段１０により選択された地域は、地域表示手段１１により表示され使用者が確認できる。経度をタッチパネル等で選択して入力する形式としても良い。本実施例では、不定時法の時刻で知りたい地域を都道府県で指定するように設定している。経度補正手段１０は、経度に関する情報を得ると、日の出日の入時刻データ保持手段６の日の出日の入り時刻を、予め記憶した経度別の表で校正するか、計算式により校正する（インターネットでのデータベースを用いて更新／校正を行う構成でもよい）。
【産業上の利用可能性】
【００１４】  本発明の不定時法時計によれば、使用者が使用する地域において日の出日の入り時刻を標準にした不定時法の時刻が得られるので自然や生活に密着した時刻感覚を得ることができ、必要により定時法の時計表示も可能で時計の有効利用ができる。
【符号の説明】
【００１５】１  不定時法時計、
７  制御装置、
５  年月日設定手段、
６  日の出日の入時刻データ保持手段、
２  定時法時計、
８  不定時法時計１の１２支画面。
【要約】      （修正有）【課題】地域に合った日の出・日の入り時刻基準の不定時法時計を構成して、自然や生活に密着した時刻感覚を得ることができる時計を提供する。【解決手段】不定時法時計１は、定時法時計２を備え、定時法の現在時刻を表示する定時法時刻表示部４が前面に配置され、不定時法時計１の上部には、暦日における現在の年月日を設定する年月日設定手段５が設けられ、暦日における日の出日の入り時刻が予めメモリー等で記憶された日の出日の入時刻データ保持手段が設けられ、制御装置は、現在もしくは所定の当該年月日を基にして、日の出日の入時刻データ保持手段から、当該日付における日の出日の入時刻を換算もしくは計算し、設定された暦日（当該日付）における日の出日の入の時刻を基に昼間と夜間を２４時間から振り分け、不定時法による設定日当日における時刻割（各刻の長さ）を設定／計算し、１２支画面８に表示する。【選択図】図１【図１】
0005970630.tif 000002
【図２】
0005970630.tif 000003